【手続補正書】
【提出日】平成20年2月6日(2008.2.6)
【手続補正１】
【補正対象書類名】明細書
【補正対象項目名】特許請求の範囲
【補正方法】変更
【補正の内容】
【特許請求の範囲】
【請求項１】電解質水溶液を含むアミド構造を有する繰り返し構造単位を含む重合体が、電極活物質表面の一部と接触していることを特徴とする電池。 
【請求項２】一般式（１） 
【化１】 
2002246028.tif 000001
（式中、Ｒ1、Ｒ2は各々独立に水素原子または炭素数１以上５以下のアルキル基を表す。）で表されるアミド構造を有する繰り返し構造単位を含む重合体を含むことを特徴とする請求項１に記載の電池。 
【請求項３】アミド構造を有する繰り返し構造単位を含む重合体が、一般式（２） 
【化２】 
2002246028.tif 000002
（式中、Ｒ1、Ｒ2は各々独立に水素原子または炭素数１以上５以下のアルキル基を表す。）で表される化合物の重合体であることを特徴とする請求項１または２に記載の電池。 
【請求項４】アミド構造を有する繰り返し構造単位を含む重合体が、Ｎ−ビニルアセトアミドの重合体であることを特徴とする請求項１乃至３のいずれかひとつに記載の電池。 
【請求項５】Ｎ−ビニルアセトアミドの重合体が、直鎖状であることを特徴とする請求項４に記載の電池。 
【請求項６】Ｎ−ビニルアセトアミドの重合体が、三次元架橋体であることを特徴とする請求項４に記載の電池。 
【請求項７】アミド構造を有する繰り返し構造単位を含む重合体の質量平均分子量が、５０００〜１０００万の範囲であることを特徴とする請求項１乃至６のいずれかひとつに記載の電池。 
【請求項８】Ｎ−ビニルアセトアミドの重合体が、ポリ−Ｎ−ビニルアセトアミド、Ｎ−ビニルアセトアミド／アクリル酸ナトリウム共重合体、Ｎ−ビニルアセトアミド／酢酸ビニル共重合体、Ｎ−ビニルアセトアミド／アクリルアミド共重合体からなる群から選ばれた少なくともひとつであることを特徴とする請求項４乃至７のいずれかひとつに記載の電池。 
【請求項９】電極活物質が、金属酸化物であることを特徴とする請求項１乃至８のいずれかひとつに記載の電池。 
【請求項１０】電極活物質が、亜鉛、マンガン、銀、鉛、カドミウム、ニッケル、コバルト、ジルコニウム、チタン、バナジウム、モリブデン、アルミニウム、またはそれらの化合物からなる群から選ばれた少なくともひとつであることを特徴とする請求項１乃至９のいずれかひとつに記載の電池。 
【請求項１１】電極活物質が、炭素からなる炭素材料であることを特徴とする請求項１乃至８のいずれかひとつに記載の電池。 
【請求項１２】電極活物質が、水素貯蔵性の金属または合金であることを特徴とする請求項１乃至８のいずれかひとつに記載の電池。 
【請求項１３】電極活物質が、導電性重合体であることを特徴とする請求項１乃至８のいずれかひとつに記載の電池。 
【請求項１４】導電性重合体が、ポリアニリン、ポリチオフェン、ポリアセチレン、ポリパラフェニレン、ポリピロール、ポリチエニレン、ポリピリジンジイル、ポリイソチアナフテニレン、ポリフリレン、ポリセレノフェン、ポリパラフェニレンビニレン、ポリチエニレンビニレン、ポリフリレンビニレン、ポリナフテニレンビニレン、ポリセレノフェンビニレン、ポリピリジンジイルビニレン、またはその誘導体からなる群から選ばれた少なくともひとつを含むものであることを特徴とする請求項１３に記載の電池。 
【請求項１５】電極活物質及びＮ−ビニルアセトアミドの重合体を含む電池電極用ペースト。 
【請求項１６】Ｎ−ビニルアセトアミドの重合体が、直鎖状であることを特徴とする請求項１５に記載の電池電極用ペースト。 
【請求項１７】Ｎ−ビニルアセトアミドの重合体が、三次元架橋体であることを特徴とする請求項１５に記載の電池電極用ペースト。 
【請求項１８】電極活物質が、金属酸化物であることを特徴とする請求項１５乃至１７のいずれかひとつに記載の電池電極用ペースト。 
【請求項１９】電極活物質が、亜鉛、マンガン、銀、鉛、カドミウム、ニッケル、コバルト、ジルコニウム、チタン、バナジウム、モリブデン、アルミニウム、またはそれらの化合物からなる群から選ばれた少なくともひとつであることを特徴とする請求項１５乃至１８のいずれかひとつに記載の電池電極用ペースト。 
【請求項２０】電極活物質が、炭素からなる炭素材料であることを特徴とする請求項１５乃至１７のいずれかひとつに記載の電池電極用ペースト。 
【請求項２１】電極活物質が、水素貯蔵性の金属または合金であることを特徴とする請求項１５乃至１７のいずれかひとつに記載の電池電極用ペースト。 
【請求項２２】電極活物質が、導電性重合体であることを特徴とする請求項１５乃至１７のいずれかひとつに記載の電池電極用ペースト。 
【請求項２３】導電性重合体が、ポリアニリン、ポリチオフェン、ポリアセチレン、ポリパラフェニレン、ポリピロール、ポリチエニレン、ポリピリジンジイル、ポリイソチアナフテニレン、ポリフリレン、ポリセレノフェン、ポリパラフェニレンビニレン、ポリチエニレンビニレン、ポリフリレンビニレン、ポリナフテニレンビニレン、ポリセレノフェンビニレン、ポリピリジンジイルビニレン、またはその誘導体からなる群から選ばれた少なくともひとつを含むものであることを特徴とする請求項２２に記載の電池電極用ペースト。 
【請求項２４】導電性基材に請求項１５乃至２３のいずれかひとつに記載の電池電極用ペーストを塗布して得られた電極。
【請求項２５】電解質水溶液を含むアミド構造を有する繰り返し構造単位を含む重合体が、電極活物質表面の一部と接触していることを特徴とする電極。
【請求項２６】一般式（１）
【化３】 
2002246028.tif 000003
（式中、Ｒ1、Ｒ2は各々独立に水素原子または炭素数１以上５以下のアルキル基を表す。）で表されるアミド構造を有する繰り返し構造単位を含む重合体を含むことを特徴とする請求項２５に記載の電極。
【請求項２７】アミド構造を有する繰り返し構造単位を含む重合体が、一般式（２）
【化４】 
2002246028.tif 000004
（式中、Ｒ1、Ｒ2は各々独立に水素原子または炭素数１以上５以下のアルキル基を表す。）で表される化合物の重合体であることを特徴とする請求項２５または２６に記載の電極。
【請求項２８】アミド構造を有する繰り返し構造単位を含む重合体が、Ｎ−ビニルアセトアミドの重合体であることを特徴とする請求項２５乃至２７のいずれかひとつに記載の電極。
【請求項２９】Ｎ−ビニルアセトアミドの重合体が、直鎖状であることを特徴とする請求項２８に記載の電極。
【請求項３０】Ｎ−ビニルアセトアミドの重合体が、三次元架橋体であることを特徴とする請求項２８に記載の電極。
【請求項３１】アミド構造を有する繰り返し構造単位を含む重合体の質量平均分子量が、５０００〜１０００万の範囲であることを特徴とする請求項２５乃至３０のいずれかひとつに記載の電極。
【請求項３２】Ｎ−ビニルアセトアミドの重合体が、ポリ−Ｎ−ビニルアセトアミド、Ｎ−ビニルアセトアミド／アクリル酸ナトリウム共重合体、Ｎ−ビニルアセトアミド／酢酸ビニル共重合体、Ｎ−ビニルアセトアミド／アクリルアミド共重合体からなる群から選ばれた少なくともひとつであることを特徴とする請求項２８乃至３１のいずれかひとつに記載の電極。
【請求項３３】電極活物質が、金属酸化物であることを特徴とする請求項２５乃至３２のいずれかひとつに記載の電極。
【請求項３４】電極活物質が、亜鉛、マンガン、銀、鉛、カドミウム、ニッケル、コバルト、ジルコニウム、チタン、バナジウム、モリブデン、アルミニウム、またはそれらの化合物からなる群から選ばれた少なくともひとつであることを特徴とする請求項２５乃至３２のいずれかひとつに記載の電極。
【請求項３５】電極活物質が、炭素からなる炭素材料であることを特徴とする請求項２５乃至３２のいずれかひとつに記載の電極。
【請求項３６】電極活物質が、水素貯蔵性の金属または合金であることを特徴とする請求項２５乃至３２のいずれかひとつに記載の電極。
【請求項３７】電極活物質が、導電性重合体であることを特徴とする請求項２５乃至３２のいずれかひとつに記載の電極。
【請求項３８】導電性重合体が、ポリアニリン、ポリチオフェン、ポリアセチレン、ポリパラフェニレン、ポリピロール、ポリチエニレン、ポリピリジンジイル、ポリイソチアナフテニレン、ポリフリレン、ポリセレノフェン、ポリパラフェニレンビニレン、ポリチエニレンビニレン、ポリフリレンビニレン、ポリナフテニレンビニレン、ポリセレノフェンビニレン、ポリピリジンジイルビニレン、またはその誘導体からなる群から選ばれた少なくともひとつを含むものであることを特徴とする請求項３７に記載の電極。
【請求項３９】電極活物質及びＮ−ビニルアセトアミドの重合体を含む電極。
【手続補正２】
【補正対象書類名】明細書
【補正対象項目名】０００８
【補正方法】変更
【補正の内容】
【０００８】
すなわち本発明は、以下の水溶液系電池及びこれを得るための電極用ペースト、電極を提供することを目的とする。
１）電解質水溶液を含むアミド構造を有する繰り返し構造単位を含む重合体が、電極活物質表面の一部と接触していることを特徴とする電池、
２）一般式（１） 
【化５】
2002246028.tif 000005
（式中、Ｒ1、Ｒ2は各々独立に水素原子または炭素数１以上５以下のアルキル基を表す。）で表されるアミド構造を繰り返し構造単位に有する重合体を含むことを特徴とする上記１）に記載の電池、
３）アミド構造を有する繰り返し構造単位を含む重合体が、一般式（２） 
【化６】
2002246028.tif 000006
（式中、Ｒ1、Ｒ2は各々独立に水素原子または炭素数１以上５以下のアルキル基を表す。）で表される化合物の重合体であることを特徴とする上記１）または２）に記載の電池、
４）アミド構造を有する繰り返し構造単位を含む重合体が、Ｎ−ビニルアセトアミドの重合体であることを特徴とする上記１）乃至３）のいずれかひとつに記載の電池、
５）Ｎ−ビニルアセトアミドの重合体が、直鎖状であることを特徴とする上記４）に記載の電池、
６）Ｎ−ビニルアセトアミドの重合体が、三次元架橋体であることを特徴とする上記４）に記載の電池、
７）アミド構造を有する繰り返し構造単位を含む重合体の質量平均分子量が、５０００〜１０００万の範囲であることを特徴とする上記１）乃至６）のいずれかひとつに記載の電池、
８）Ｎ−ビニルアセトアミドの重合体が、ポリ−Ｎ−ビニルアセトアミド、Ｎ−ビニルアセトアミド／アクリル酸ナトリウム共重合体、Ｎ−ビニルアセトアミド／酢酸ビニル共重合体、Ｎ−ビニルアセトアミド／アクリルアミド共重合体からなる群から選ばれた少なくともひとつであることを特徴とする上記４）乃至７）のいずれかひとつに記載の電池、
９）電極活物質が、金属酸化物であることを特徴とする上記１）乃至８）のいずれかひとつに記載の電池、
１０）電極活物質が、亜鉛、マンガン、銀、鉛、カドミウム、ニッケル、コバルト、ジルコニウム、チタン、バナジウム、モリブデン、アルミニウム、またはそれらの化合物からなる群から選ばれた少なくともひとつであることを特徴とする上記１）乃至９）のいずれかひとつに記載の電池、
１１）電極活物質が、炭素からなる炭素材料であることを特徴とする上記１）乃至８）のいずれかひとつに記載の電池、
１２）電極活物質が、水素貯蔵性の金属または合金であることを特徴とする上記１）乃至８）のいずれかひとつに記載の電池、
１３）電極活物質が、導電性重合体であることを特徴とする上記１）乃至８）のいずれかひとつに記載の電池、
１４）導電性重合体が、ポリアニリン、ポリチオフェン、ポリアセチレン、ポリパラフェニレン、ポリピロール、ポリチエニレン、ポリピリジンジイル、ポリイソチアナフテニレン、ポリフリレン、ポリセレノフェン、ポリパラフェニレンビニレン、ポリチエニレンビニレン、ポリフリレンビニレン、ポリナフテニレンビニレン、ポリセレノフェンビニレン、ポリピリジンジイルビニレン、またはその誘導体からなる群から選ばれた少なくともひとつを含むものであることを特徴とする上記１３）に記載の電池、
１５）電極活物質及びＮ−ビニルアセトアミドの重合体を含む電池電極用ペースト、
１６）Ｎ−ビニルアセトアミドの重合体が、直鎖状であることを特徴とする上記１５）に記載の電池電極用ペースト、
１７）Ｎ−ビニルアセトアミドの重合体が、三次元架橋体であることを特徴とする上記１５）に記載の電池電極用ペースト、
１８）電極活物質が、金属酸化物であることを特徴とする上記１５）乃至１７）のいずれかひとつに記載の電池電極用ペースト、
１９）電極活物質が、亜鉛、マンガン、銀、鉛、カドミウム、ニッケル、コバルト、ジルコニウム、チタン、バナジウム、モリブデン、アルミニウム、またはそれらの化合物からなる群から選ばれた少なくともひとつであることを特徴とする上記１５）乃至１８）のいずれかひとつに記載の電池電極用ペースト、
２０）電極活物質が、炭素からなる炭素材料であることを特徴とする上記１５）乃至１７）のいずれかひとつに記載の電池電極用ペースト、
２１）電極活物質が、水素貯蔵性の金属または合金であることを特徴とする上記１５）乃至１７）のいずれかひとつに記載の電池電極用ペースト、
２２）電極活物質が、導電性重合体であることを特徴とする上記１５）乃至１７）のいずれかひとつに記載の電池電極用ペースト、
２３）導電性重合体が、ポリアニリン、ポリチオフェン、ポリアセチレン、ポリパラフェニレン、ポリピロール、ポリチエニレン、ポリピリジンジイル、ポリイソチアナフテニレン、ポリフリレン、ポリセレノフェン、ポリパラフェニレンビニレン、ポリチエニレンビニレン、ポリフリレンビニレン、ポリナフテニレンビニレン、ポリセレノフェンビニレン、ポリピリジンジイルビニレン、またはその誘導体からなる群から選ばれた少なくともひとつを含むものであることを特徴とする上記２２）に記載の電池電極用ペースト、及び
２４）導電性基材に上記１５）乃至２３）のいずれかひとつに記載の電池電極用ペーストを塗布して得られた電極、
２５）電解質水溶液を含むアミド構造を有する繰り返し構造単位を含む重合体が、電極活物質表面の一部と接触していることを特徴とする電極、
２６）一般式（１）
【化７】
2002246028.tif 000007
（式中、Ｒ1、Ｒ2は各々独立に水素原子または炭素数１以上５以下のアルキル基を表す。）で表されるアミド構造を有する繰り返し構造単位を含む重合体を含むことを特徴とする上記２５）に記載の電極、
２７）アミド構造を有する繰り返し構造単位を含む重合体が、一般式（２）
【化８】
2002246028.tif 000008
（式中、Ｒ1、Ｒ2は各々独立に水素原子または炭素数１以上５以下のアルキル基を表す。）で表される化合物の重合体であることを特徴とする上記２５）または２６）に記載の電極、
２８）アミド構造を有する繰り返し構造単位を含む重合体が、Ｎ−ビニルアセトアミドの重合体であることを特徴とする上記２５）乃至２７）のいずれかひとつに記載の電極、
２９）Ｎ−ビニルアセトアミドの重合体が、直鎖状であることを特徴とする上記２８）に記載の電極、
３０）Ｎ−ビニルアセトアミドの重合体が、三次元架橋体であることを特徴とする上記２８）に記載の電極、
３１）アミド構造を有する繰り返し構造単位を含む重合体の質量平均分子量が、５０００〜１０００万の範囲であることを特徴とする上記２５）乃至３０）のいずれかひとつに記載の電極、
３２）Ｎ−ビニルアセトアミドの重合体が、ポリ−Ｎ−ビニルアセトアミド、Ｎ−ビニルアセトアミド／アクリル酸ナトリウム共重合体、Ｎ−ビニルアセトアミド／酢酸ビニル共重合体、Ｎ−ビニルアセトアミド／アクリルアミド共重合体からなる群から選ばれた少なくともひとつであることを特徴とする上記２８）乃至３１）のいずれかひとつに記載の電極、
３３）電極活物質が、金属酸化物であることを特徴とする上記２５）乃至３２）のいずれかひとつに記載の電極、
３４）電極活物質が、亜鉛、マンガン、銀、鉛、カドミウム、ニッケル、コバルト、ジルコニウム、チタン、バナジウム、モリブデン、アルミニウム、またはそれらの化合物からなる群から選ばれた少なくともひとつであることを特徴とする上記２５）乃至３２）のいずれかひとつに記載の電極、
３５）電極活物質が、炭素からなる炭素材料であることを特徴とする上記２５）乃至３２）のいずれかひとつに記載の電極、
３６）電極活物質が、水素貯蔵性の金属または合金であることを特徴とする上記２５）乃至３２）のいずれかひとつに記載の電極、
３７）電極活物質が、導電性重合体であることを特徴とする上記２５）乃至３２）のいずれかひとつに記載の電極、
３８）導電性重合体が、ポリアニリン、ポリチオフェン、ポリアセチレン、ポリパラフェニレン、ポリピロール、ポリチエニレン、ポリピリジンジイル、ポリイソチアナフテニレン、ポリフリレン、ポリセレノフェン、ポリパラフェニレンビニレン、ポリチエニレンビニレン、ポリフリレンビニレン、ポリナフテニレンビニレン、ポリセレノフェンビニレン、ポリピリジンジイルビニレン、またはその誘導体からなる群から選ばれた少なくともひとつを含むものであることを特徴とする上記３７）に記載の電極、
３９）電極活物質及びＮ−ビニルアセトアミドの重合体を含む電極。
【手続補正３】
【補正対象書類名】明細書
【補正対象項目名】０００９
【補正方法】変更
【補正の内容】
【０００９】
【発明の実施の形態】
本発明の電池及び／または電極用ペーストに用いられる重合体（高分子）としては一般式（１） 
【化９】 
2002246028.tif 000009
（式中、Ｒ1、Ｒ2は各々独立に水素原子または炭素数１以上５以下のアルキル基を表す。）で表されるアミド構造を有する繰り返し構造単位を含む重合体が好ましい。Ｒ1、Ｒ2の有用な例は、水素原子、メチル基、エチル基であり、さらにＲ1が水素原子、Ｒ2がメチル基またはエチル基が好ましい。 
【手続補正４】
【補正対象書類名】明細書
【補正対象項目名】００１０
【補正方法】変更
【補正の内容】
【００１０】
また、アミド構造を有する繰り返し構造単位を含む重合体が、一般式（２） 
【化１０】
2002246028.tif 000010
（式中、Ｒ1、Ｒ2は各々独立に水素原子または炭素数１以上５以下のアルキル基を表す。）で表される化合物の重合体が好適に用いられる。Ｒ1、Ｒ2の有用な例は、水素原子、メチル基、エチル基であり、さらにＲ1が水素原子、Ｒ2がメチル基またはエチル基が好ましい。